(57)【要約】【課題】優先システムのサービスエリアは非優先システムのサービスエリアに比べて狭く、優先システムのサービスは提供されていないエリアが多い。優先システムの基地局サーチを行うためには、装置の電流をそれだけ多く消費するので、優先システムのサーチを行うことで、装置の使用時間が短くなってしまう。【解決手段】優先システムおよび非優先システムの機能を合わせ持ったデュアルモード携帯端末により、優先システムと非優先システムのそれぞれのサービスエリアをサーチするデュアルモード携帯端末の基地局サーチ方式であって、非優先システムでの待ち受け中に、非優先システムの受信情報を元に、優先システムのサーチタイミングを可変制御する。【選択図】図１
2006303733.tif 000002
【特許請求の範囲】
【請求項１】
優先システムおよび非優先システムの機能を合わせ持ったデュアルモード携帯端末により、優先システムと非優先システムのそれぞれのサービスエリアをサーチするデュアルモード携帯端末の基地局サーチ方式であって、
前記非優先システムでの待ち受け中に、この非優先システムの受信情報を元に、前記優先システムのサーチタイミングを可変制御することを特徴とするデュアルモード携帯端末の基地局サーチ方式。
【請求項２】
請求項１記載のデュアルモード携帯端末の基地局サーチ方式において、
前記非優先システム側の受信電界レベルを検出し、この検出情報定に基いて前記優先システムのサーチタイミングを可変制御することを特徴とするデュアルモード携帯端末の基地局サーチ方式。
【請求項３】
請求項１または２記載のデュアルモード携帯端末の基地局サーチ方式において、
前記非優先システム側の待ち受け基地局ＩＤ情報を検出し、この検出情報に基いて前記優先システムのサーチタイミングを可変制御することを特徴とするデュアルモード携帯端末の基地局サーチ方式。
【請求項４】
請求項１ないし３のいずれかに記載のデュアルモード携帯端末の基地局サーチ方式において、
携帯端末内部に設けられたデータ格納メモリに設定された、優先システムサーチ設定情報と、優先システムサーチカウンタ設定情報と、非優先システム受信レベルしきい値情報とに基いて前記優先システムのサーチタイミングを可変制御することを特徴とするデュアルモード携帯端末の基地局サーチ方式。
【請求項５】
請求項１ないし４のいずれかに記載のデュアルモード携帯端末の基地局サーチ方式において、
前記非優先システムは２Ｇシステムであり、前記優先システムは３Ｇシステムであることを特徴とするデュアルモード携帯端末の基地局サーチ方式。
【請求項６】
請求項１ないし５のいずれかに記載のデュアルモード携帯端末の基地局サーチ方式において、
前記優先システムのサービスエリアが前記非優先システムのサービスエリアより狭いものであることを特徴とするデュアルモード携帯端末の基地局サーチ方式。
【発明の詳細な説明】
【技術分野】
【０００１】
本発明は、３Ｇシステム等の優先システムと２Ｇシステム等の非優先システムとを搭載したデュアルモード携帯端末の基地局サーチ方式に関する。
【背景技術】
【０００２】
近年、ＷＣＤＭＡまたはＵＭＴＳ通信システム（３Ｇシステム）とＧＳＭ通信システム（２Ｇシステム）などの機能を合わせ持った、デュアルモードの携帯端末が開発され、一般に利用されるようになってきている。２つの通信システムの機能を搭載しているのは、世界的にサービスエリアが普及している２Ｇシステムに比べて、３Ｇシステムのサービスエリアが現段階では狭く、ユーザの利便性を損なわないためには２Ｇシステムにも対応する必要があるということが大きな理由である。
【０００３】
ただし、データの通信速度が高速化されている３Ｇシステムで利用できた方が提供できるサービス範囲が広がり、ユーザにとってもメリットがある。このため、ユーザの利便性を考えると、できるだけ３Ｇシステムで利用できることが望ましい。
そこで、一般的にデュアルモードの携帯端末の待ち受けモードとしては、３Ｇシステムを優先システムとしている場合が多い。つまり、２Ｇシステムで待ち受けているときは、適宜タイミングで優先モードである３Ｇシステムの基地局サーチを行い、３Ｇシステムの電波が見つかり３Ｇモードで待ち受け可能であれば、２Ｇモードから３Ｇモードへの切り替えを自動的に行うようにしている（例えば、特許文献１参照）。
図５は、一般の２Ｇシステムと３Ｇシステムのサービスエリアを示すイメージ図である。
同図において、５０１は、２Ｇシステム及び３Ｇシステムのどちらのサービスも提供されていないエリア、５０２は２Ｇシステムのサービスだけがカバーできているエリア、５０３は２Ｇシステムと３Ｇシステムの両方のサービスが提供されているエリア、５０４は３Ｇサービスだけが提供されているエリア、５０５は２Ｇサービスカバーエリア、５０６は３Ｇサービスカバーエリアを示している。サービスエリアの広さについてみると、数年前にサービスが開始された３Ｇシステムのサービスエリア５０６は、既存の２Ｇシステムのサービスエリア５０５に比べて狭いのが現状である。
【０００４】
デュアルモード携帯端末の待ち受け制御としては、通常、３Ｇシステムを優先的に待ち受けるように設計されている。３Ｇシステム優先ということは、２Ｇシステムと３Ｇシステムの両方のサービスが提供されているエリア５０３に利用者がいるときに、優先的に３Ｇシステムに待ち受けるということである。このようにエリア５０３で３Ｇシステム優先とすることにより、３Ｇシステムで使用できるエリアが広くなり、ユーザの利便性を高めることができる。
図６は、従来の基地局サーチ方式の動作タイミング、図７は、動作フローチャートを示している。図６に示すように、２Ｇシステムの間欠受信の受信動作の隙間を利用して、優先側の基地局のサーチ動作を定期的に繰り返している。また、図７に示すように、２Ｇシステム待ち受け中に３Ｇシステムのサーチを繰り返すフローは、２Ｇサーチ処理（Ｓ７０１）→３Ｇサーチタイマ（Ｓ７０２）→３Ｇサーチ処理（Ｓ７０３）→３Ｇ待ち受け可能基地あり？（Ｓ７０４）の繰り返しである。なお、ステップ７０１で、２Ｇ圏外判定時は２Ｇ圏外移行処理（Ｓ７０５）、ステップ７０４で３Ｇ待ちうけ可能基地ありの場合は、３Ｇ待ち受け移行処理（Ｓ７０６）を行う。
デュアルモード携帯端末のユーザが、エリア５０２からエリア５０３に移動した場合、優先モードである３Ｇシステムの待ち受け状態に切り替わることができる。しかしながら、上述のように、エリア５０２にユーザがとどまっている場合は、いつまでたっても３Ｇシステムに切り替わることができず、３Ｇシステムのサーチ動作は装置の電流を無駄に消費しているだけである。
【特許文献１】特開２００４−３５６６８４号公報
【発明の開示】
【発明が解決しようとする課題】
【０００５】
現在のところ、３Ｇモードのサービスエリアは２Ｇモードのサービスエリアに比べて十分広いとはいえず、２Ｇのサービスは提供されているが３Ｇのサービスは提供されていないエリアが多い。３Ｇモードの基地局サーチを行うためには、装置の電流をそれだけ多く消費するので、３Ｇモードのサーチを行うことで、装置の使用時間が短くなってしまう弊害がある。つまり、デュアルモードの携帯端末は、優先システムの基地局サーチを最適に行なって装置の電流消費量をできるだけ低減させる必要があるが、このような技術はまだ存在しない。
【課題を解決するための手段】
【０００６】
本発明によれば、
優先システムおよび非優先システムの機能を合わせ持ったデュアルモード携帯端末により、優先システムと非優先システムのそれぞれのサービスエリアをサーチするデュアルモード携帯端末の基地局サーチ方式であって、
前記非優先システムでの待ち受け中に、この非優先システムの受信情報を元に、前記優先システムのサーチタイミングを可変制御することを特徴とするデュアルモード携帯端末の基地局サーチ方式が提供される。
本発明のデュアルモード携帯端末の基地局サーチ方式においては、非優先システムで待ち受けているときは、優先システムの基地局サーチを行ない、その結果待ち受け可能な基地局が見つかれば、非優先システムから優先システムに待ち受けを切り替えるように制御を行ない、待ち受け可能な基地局が見つからなければ、非優先システムでの待ち受け状態を維持する。
【発明の効果】
【０００７】
本発明によれば、待ち受けしている非優先システムの受信情報を元に優先システムの基地局サーチを行うことにより、効率のよい基地局サーチが可能となり、端末装置の電流消費量を最小限に低減させることができる。
【発明を実施するための最良の形態】
【０００８】
以下、本発明の好ましい実施形態について説明する。この実施形態は、非優先システムでの待ち受け中に、この非優先システムの受信情報を元に、優先システムのサーチタイミングを可変制御する、デュアルモード携帯端末の基地局サーチ方式に関するものである。
本発明の実施形態であるデュアルモード携帯端末は、ＧＳＭ通信システムなどの２Ｇシステム、およびＷＣＤＭＡまたはＵＭＴＳ通信システムなどの３Ｇシステムのそれぞれに対応したアンテナ、無線部、ベースバンド部と、装置全体の制御を行うＣＰＵを備えている。その他、ユーザが操作を行うためのキーマトリックス入力部や、プログラムを格納するメモリ、データを格納するメモリ、ＬＣＤ表示部、表示データ制御部、音声ＣＯＤＥＣ／制御部、レシーバ、マイクも備えている。
データ格納メモリには、３Ｇシステムの基地局サーチ設定情報、３Ｇのサーチカウンター設定情報、及び２Ｇシステムの基地局からの受信レベルを判定するしきい値情報を格納する。また、３Ｇシステムの基地局をサーチする間隔をカウントするタイマおよび３Ｇサーチカウンタを備えている。
以下、本発明の実施形態について、図面を用いて説明する。図１は、本発明のデュアルモード携帯端末の実施形態を示すブロック図である。
デュアルモード携帯端末本体１０１には、携帯電話の機能実現に必要な２Ｇ用アンテナ１、２Ｇ用無線部２、２Ｇ用ベースバンド部３、３Ｇ用アンテナ７、３Ｇ用無線部８、３Ｇ用ベースバンド部９、音声ＣＯＤＥＣ／制御部４、マイク５，レシーバ６、表示データ制御部１１、ＬＣＤ表示部１０、ＣＰＵ１３、キーマトリックス入力部１２、３Ｇサーチタイマ１６、プログラム格納メモリ１４、データ格納メモリ１５、３Ｇサーチカウンタ１８およびその他のタイマ１７を備えている。
装置内部の制御は、ＣＰＵ１３からバスＣを介して行われる。すなわち、ＣＰＵ１３は、プログラム格納メモリ１４およびデータ格納メモリ１５からデータを読み出し、データ格納メモリ１５へデータの書き込み、および２Ｇ用ベースバンド部３、３Ｇ用ベースバンド部９、表示データ制御部１１、音声ＣＯＤＥＣ／制御部４の制御をバスＣを介して行うようになっている。また、ＣＰＵ１３には３Ｇサーチタイマ１６および３Ｇサーチカウンタ１８が接続され、これらにより３Ｇシステムの基地局サーチタイミングが管理される。ユーザによる操作は、キーマトリックス入力部１２からＣＰＵ１３へキー入力を介して実施され、ユーザへの情報表示はＬＣＤ表示部１０にデータを表示することで行われる。
【０００９】
マイク５から入力されたアナログ送話音声信号は、音声ＣＯＤＥＣ／制御部４によりデジタルデータ化される。２Ｇシステムで利用されるときは、デジタル送話音声信号は２Ｇ用ベースバンド部３により携帯電話の無線区間の信号フォーマットに変換され、２Ｇ用無線部２で変調されて２Ｇ用アンテナ１を経由して電波として送信される。また、３Ｇシステムで利用されるときは、デジタル送話音声信号は３Ｇ用ベースバンド部９により携帯電話の無線区間の信号フォーマットに変換され、３Ｇ用無線部８で変調されて３Ｇ用アンテナ７を経由して電波として送信される。
【００１０】
無線部２、８、ベースバンド部３，９、および音声ＣＯＤＥＣ／制御部４のシステム切り替えは、バスＣを介してＣＰＵ１３から制御で行なわれる。ＣＰＵ１３は２Ｇシステム側のブロックと３Ｇシステム側のブロックを独立して制御し、電波の受信動作、送信動作を行なう。受信した基地局の情報や受信電界値などは、バスＣを介してＣＰＵ１３が受け取って解析・判断を行い、待ち受け処理や通信処理を行なう。判断に必要な基地局の情報（３Ｇサーチ設定情報、３Ｇサーチカウンタ設定情報、２Ｇレベルしきい値情報等）および受信電界値などの情報はデータ格納メモリ１５に格納されている。
【００１１】
次に、上記デュアルモード携帯端末における待ち受け動作について説明する。
【００１２】
一般的にデュアルモード携帯端末は、端末内で優先システムおよび非優先システムを定義している。優先システムとは、どちらのシステムを優先的に利用するかということである。通常、サービスの付加価値が高いシステムを優先システムに設定するため、３Ｇシステムを優先システム、２Ｇシステムを非優先システムとすることが多い（以下の説明では、３Ｇシステムを優先システム、２Ｇシステムを非優先システムとする）。
【００１３】
装置の電源投入時、優先システムである３Ｇシステムの基地局から先にサーチを行なう。サーチの結果、待ち受け可能な基地局が見つかれば３Ｇシステムで待ち受けを行なうが、基地局が見つからなかった場合は、次に非優先システムである２Ｇシステムの基地局のサーチを行なう。サーチの結果、待ち受け可能な基地局が見つかれば２Ｇシステムで待ち受けを行い、基地局が見つからなかった場合は、両システムともに圏外の状態になる。両システムとも圏外の時は、検索周期が設定されたその他のタイマ１７からのタイミングを元に、３Ｇシステムと２Ｇシステムの基地局サーチが繰り返し実施される。
２Ｇシステムで待ち受けているときは、２Ｇシステムの待ち受けタイミング毎に、２Ｇシステムの無線部８、ベースバンド部９を制御して基地局からの信号受信動作を繰り返す。加えて、３Ｇサーチタイマ１６からのタイミングを元に、優先システムである３Ｇシステムの基地局サーチを行なう。３Ｇシステムのサーチの結果、待ち受け可能な基地局が見つかれば、２Ｇシステムから３Ｇシステムに待ち受けを切り替えるように制御を行なうが、待ち受け可能な基地局が見つからなければ、２Ｇシステムでの待ち受け状態を維持する。
従来は、図５〜図７で説明したように、デュアルモード携帯端末のユーザが、エリア５０２からエリア５０３に移動した場合、優先モードである３Ｇシステムの待ち受け状態に切り替わることができるが、エリア５０２にユーザがとどまっている場合は、いつまでたっても３Ｇシステムに切り替わることができず、３Ｇシステムのサーチ動作は装置の電流を無駄に消費しているだけであった。
本発明では、待ち受け中の２Ｇシステムの基地局ＩＤ情報、受信レベル、および携帯端末内部のデータ格納メモリ１５に設定された、３Ｇサーチ設定情報と、３Ｇサーチカウンタ設定情報と、２Ｇ受信レベルしきい値情報とを元に、３Ｇシステムの基地局サーチの制御を行なう。これにより、２Ｇシステム待ち受け中の装置の消費電流を低減し３Ｇシステムのサーチの最適化を行なうようにしたものである。すなわち、非優先システムでの待ち受け中に、この非優先システムの受信情報を元に、優先システムのサーチタイミングを可変制御する。
【００１４】
図２は、本発明の動作を示すフローチャートである。
【００１５】
３Ｇシステムが見つかる可能性の判断は、２Ｇシステムの基地局ＩＤ情報と受信電界レベルを元に行なう。まず、２Ｇシステムのサーチを行ない（ステップＳ２０１、以下ステップの文字省略）、２Ｇの基地局のＩＤが変化したか否かをＣＰＵ１３が確認する（Ｓ２０２）。基地局のＩＤが変化した場合はユーザの移動量が大きいと推測でき、３Ｇシステムのサーチを行なうことで基地局が見つかる可能性が高いと判断する。そこで、ＣＰＵ１３により３Ｇサーチ設定をオンにし、３Ｇサーチカウンタ１８を２に、３Ｇサーチタイマ１６をｔ１に設定する（Ｓ２０４）。なお、Ｓ２０１で２Ｇ圏外判定された場合は２Ｇ圏外移行処理を行う（Ｓ２１１）。
【００１６】
Ｓ２０２において、基地局ＩＤが変化しない場合は、次に受信レベルの変化量を確認する。前回受信した受信レベルとの変化量を計算し、データ格納メモリ１５に設定された２Ｇ受信レベルしきい値情報との比較を行なう（Ｓ２０３）。ここで、データ格納メモリ１５に格納されているしきい値情報Ｔｈ１よりも変化量が大きいときは、受信レベルの変化量が大きいと判断し、上述した基地局ＩＤが変化した場合と同様に３Ｇシステムの基地局が見つかる可能性が高いと判断する。つまり、この場合もＳ２０４の処理を行なう。
【００１７】
受信レベルの変化量が、しきい値情報Ｔｈ０より大きくＴｈ１よりも小さいときは、受信レベルの変化量が中程度であると判断する。この場合は、ユーザの移動量が中程度であると推測され、３Ｇシステムのサーチを行なうことで基地局が見つかる可能性は中程度であると判断する。そこで、Ｓ２０５において、３Ｇサーチ設定をオンに、３Ｇサーチカウンタ１８を２に、３Ｇサーチタイマ１６をｔｓに設定する。なお、ｔｓとｔ１の関係は、ｔｓ>ｔ１  に設定してある。
【００１８】
Ｓ２０３において、受信レベルの変化量が、２Ｇしきい値レベルＴｈ０よりも小さいときは、ユーザの移動量が小さいと考え、その位置で３Ｇシステムをサーチしても基地局が見つかる可能性が少ないと判断する。そのため、３Ｇサーチ設定をオンにすることなく、Ｓ２０６に進む。
【００１９】
Ｓ２０６では、３Ｇサーチ設定と３Ｇサーチタイマ１６の確認を行なう。ここで、３Ｇサーチ設定がオンでない場合は、３Ｇシステムのサーチを実施することなくＳ２０１に戻る。３Ｇサーチ設定がオンの場合は、３Ｇサーチタイマ１６のタイムアウトを確認し、タイムアウトしている場合は、次に３Ｇサーチ処理を行なう。このとき、３Ｇサーチカウンタ１８から１を引く（Ｓ２０７）。
【００２０】
３Ｇサーチの結果、待ち受け可能な基地局があるか否かを判断し（Ｓ２０８）、待ち受け可能基地が見つかった場合は、３Ｇシステムの待ち受け処理を行ない（Ｓ２１２）、２Ｇから３Ｇへ待ち受けシステムを切り替える。Ｓ２０８の判断で、３Ｇ待ち受け可能な基地局が見つからなかった場合は、３Ｇサーチカウンタ１８の判定を行なう（Ｓ２０９）。カウンタの値が０の時は３Ｇサーチ設定をＯＦＦにして３Ｇシステムのサーチを行なわないようにする（Ｓ２１０）。これは、３Ｇシステムが見つからなかった場合、サーチの繰り返しによる電流の無駄な消費を抑えるためである。
【００２１】
図３および図４は、上記動作フローでの処理を実施した場合の動作タイミング図である。すなわち、図３は、２Ｇシステムの受信電界レベルの変化量が中程度の場合、図４は、２Ｇシステムの基地局ＩＤが変化した場合、もしくは、受信電界レベルの変化量が大きい場合のそれぞれの動作タイミング図である。両図の動作タイミング図は、ともに上から、２Ｇ間欠受信（図１の信号Ａ）、２Ｇ情報変化検出、３Ｇサーチ制御（図１の信号Ｂ）を示している。図３に示すように、２Ｇシステムの受信電界レベルの変化量が少ない場合は、３Ｇサーチ動作におけるサーチ間隔はｔｓが長く、サーチ回数が従来の図６の動作例に比べて３Ｇサーチ動作の回数が減っていることがわかる。つまり、３Ｇシステムの基地局が見つかる可能性の高いときに、３Ｇシステムのサーチを行ないながら、不要な時には３Ｇシステムのサーチ動作を減らすように制御し、装置の消費電流を低減することが可能となる。
【図面の簡単な説明】
【００２２】
【図１】本実施形態のデュアルモード携帯端末のブロック図である。
【図２】本実施形態のデュアルモード携帯端末の動作を示すフローチャートである。
【図３】２Ｇシステムの受信電界レベルの変化量が弱い場合の動作タイミング図である。
【図４】２Ｇシステムの受信電界レベルの変化量が強い場合の動作タイミング図である。
【図５】基地局サービスエリアのイメージ図である。
【図６】従来の基地局サーチの動作タイミング図である。
【図７】従来の基地局サーチのフローチャートである。
【符号の説明】
【００２３】
１  ２Ｇ用アンテナ
２  ２Ｇ用無線部
３  ２Ｇ用ベースバンド部
４  音声ＣＯＤＥＣ／制御部
５  マイク
６  レシーバ
７  ３Ｇ用アンテナ
８  ３Ｇ用無線部
９  ３Ｇ用ベースバンド部
１０  ＬＣＤ表示部
１１  表示データ制御部
１２  キーマトリックス入力部
１３  ＣＰＵ
１４  プログラム格納メモリ
１５  データ格納メモリ
１６  ３Ｇサーチタイマ
１７  その他のタイマ
１８  ３Ｇサーチカウンタ
１０１  デュアルモード携帯端末本体
【図１】
2006303733.tif 000003
【図２】
2006303733.tif 000004
【図３】
2006303733.tif 000005
【図４】
2006303733.tif 000006
【図５】
2006303733.tif 000007
【図６】
2006303733.tif 000008
【図７】
2006303733.tif 000009